(57)【要約】      （修正有）【課題】長期に亘り水密性を保持した状態で取付孔に取付けることができるクリップを提供する。【解決手段】このクリップ１０は、軟質材料からなるシールキャップ２０と、シールキャップ２０に装着され硬質材料からなるプロテクタ３０と、シールキャップ２０内に挿入される拡開具５０とを備え、シールキャップ２０は、挿入孔２１ａを有するシールフランジ２１と、内腔を有する袋状本体部２２とからなり、プロテクタ３０は、袋状本体部２２の外周に装着されると共に、拡径具５０を、挿入孔２１ａを通し袋状本体部２２内に挿入することで、袋状本体部２３が内側から押圧され、同袋状本体部２３を介して拡開して取付孔３の裏側周縁に係合するように構成されている。【選択図】図１
2013238298.tif 000002
【特許請求の範囲】
【請求項１】
軟質材料からなるシールキャップと、該シールキャップに装着されると共に硬質材料からなるプロテクタと、前記シールキャップ内に挿入される拡開具とを備え、
前記シールキャップは、挿入孔を有すると共に、被取付部材に設けられた取付孔の表側周縁に当接するシールフランジと、該シールフランジに連設され前記挿入孔に連通する内腔を有する袋状本体部とからなり、
前記プロテクタは、前記袋状本体部の外周に装着されると共に、前記拡径具を、前記挿入孔を通して前記袋状本体部の内腔に挿入することで、該袋状本体部が内側から押圧されて、同袋状本体部を介して拡開して前記取付孔の裏側周縁に係合するように構成されていることを特徴とするクリップ。
【請求項２】
前記プロテクタは、少なくとも軸方向一端部に配置される環状部と、該環状部から軸方向に伸びると共に、互いに分離して拡径可能とされた複数の帯状係止部とを有している請求項１記載のクリップ。
【請求項３】
前記プロテクタの各帯状係止部は、その基端部が前記環状部に連結され、先端部が自由端とされている請求項２記載のクリップ。
【請求項４】
前記シールキャップの外周には、前記プロテクタの先端部外周を覆うカバー部が設けられている請求項１〜３のいずれか１つに記載のクリップ。
【請求項５】
前記プロテクタの各帯状係止部の両端部が前記環状部に連結され、各帯状係止部の中間部が拡径可能とされている請求項２記載のクリップ。
【請求項６】
前記プロテクタの基端部側の環状部には、前記取付孔の表側周縁に係合する取付フランジが設けられている請求項２〜５のいずれか１つに記載のクリップ。
【請求項７】
前記シールキャップの袋状本体部の外周に、前記プロテクタの環状部及び各帯状係止部が嵌合する嵌合凹部が形成されており、
各帯状係止部の少なくとも先端部は、前記嵌合凹部に嵌合した状態で、前記袋状本体部の外周面から突出しない高さで形成されている請求項２〜６のいずれか１つに記載のクリップ。
【請求項８】
前記シールキャップの袋状本体部の、前記嵌合凹部よりも先端側は、前記嵌合凹部よりも厚肉となるように形成されている請求項７記載のクリップ。
【請求項９】
前記プロテクタの各帯状係止部には、プロテクタの拡開前の状態において、前記取付孔の内径よりも大径の係止肩部が設けられている請求項２〜８のいずれか１つに記載のクリップ。
【発明の詳細な説明】
【技術分野】
【０００１】
本発明は、被取付部材に形成された取付孔に挿入されて固定されるクリップに関する。
【背景技術】
【０００２】
例えば、自動車の車体パネル等の被取付部材には、バンパーやトリムボード等の取付部材がクリップを介して取付けられている。その中でも、バックドアやトランクリッド等の開閉体が取付けられる箇所では、取付孔からの水分の侵入を防止するために、水密構造を備えるクリップが用いられている。
【０００３】
従来のこの種のクリップとして、下記特許文献１には、クリップ本体と、該クリップ本体の先端部を覆う袋状をなし、外向フランジ部を有するシールキャップとを備えた、部材取付用クリップ構造が記載されている。また、前記シールキャップは、先端部分が合成樹脂で形成され、残りの部分がゴム等で形成されることが記載されている。
【０００４】
そして、シールキャップを被取付部材の取付孔に挿入し、外向フランジ部を取付孔周縁に係合させると共に、その上面に取付部材を配置して、被取付部材と取付部材との間に外向フランジ部を挟持させ、その状態で取付部材の係止孔を通してシールキャップ内にクリップ本体を挿入することで、シールキャップの所定箇所が内側から押圧されて変形するので、この部分が取付孔の裏側周縁に係合してクリップが固定され、該クリップを介して被取付部材に取付部材が取付けられるようになっている。
【先行技術文献】
【特許文献】
【０００５】
【特許文献１】実開平６−２２６１０号公報
【発明の概要】
【発明が解決しようとする課題】
【０００６】
しかしながら、上記シールキャップは、その先端部が合成樹脂で形成されているものの、クリップ本体を挿入することで変形する部分は、ゴム等で形成されているので、取付孔の裏側周縁のエッジやバリ等によってシールキャップが損傷して、水密性が保持されない恐れがある。
【０００７】
したがって、本発明の目的は、長期に亘って水密性を保持した状態で取付孔に取付けることができるクリップを提供することにある。
【課題を解決するための手段】
【０００８】
上記目的を達成するため、本発明のクリップは、軟質材料からなるシールキャップと、該シールキャップに装着されると共に硬質材料からなるプロテクタと、前記シールキャップ内に挿入される拡開具とを備え、前記シールキャップは、挿入孔を有すると共に、被取付部材に設けられた取付孔の表側周縁に当接するシールフランジと、該シールフランジに連設され前記挿入孔に連通する内腔を有する袋状本体部とからなり、前記プロテクタは、前記袋状本体部の外周に装着されると共に、前記拡径具を、前記挿入孔を通して前記袋状本体部の内腔に挿入することで、該袋状本体部が内側から押圧されて、同袋状本体部を介して拡開して前記取付孔の裏側周縁に係合するように構成されていることを特徴とする。
【０００９】
本発明のクリップにおいては、前記プロテクタは、少なくとも軸方向一端部に配置される環状部と、該環状部から軸方向に伸びると共に、互いに分離して拡径可能とされた複数の帯状係止部とを有していることが好ましい。
【００１０】
本発明のクリップにおいては、前記プロテクタの各帯状係止部は、その基端部が前記環状部に連結され、先端部が自由端とされていることが好ましい。
【００１１】
本発明のクリップにおいては、前記シールキャップの外周には、前記プロテクタの先端部外周を覆うカバー部が設けられていることが好ましい。
【００１２】
本発明のクリップにおいては、前記プロテクタの各帯状係止部の両端部が前記環状部に連結され、各帯状係止部の中間部が拡径可能とされていることが好ましい。
【００１３】
本発明のクリップにおいては、前記プロテクタの基端部側の環状部には、前記取付孔の表側周縁に係合する取付フランジが設けられていることが好ましい。
【００１４】
本発明のクリップにおいては、前記シールキャップの袋状本体部の外周に、前記プロテクタの環状部及び各帯状係止部が嵌合する嵌合凹部が形成されており、各帯状係止部の少なくとも先端部は、前記嵌合凹部に嵌合した状態で、前記袋状本体部の外周面から突出しない高さで形成されていることが好ましい。
【００１５】
本発明のクリップにおいては、前記シールキャップの袋状本体部の、前記嵌合凹部よりも先端側は、前記嵌合凹部よりも厚肉となるように形成されていることが好ましい。
【００１６】
本発明のクリップにおいては、前記プロテクタの各帯状係止部には、プロテクタの拡開前の状態において、前記取付孔の内径よりも大径の係止肩部が設けられていることが好ましい。
【発明の効果】
【００１７】
本発明によれば、袋状本体部外周にプロテクタを装着したシールキャップを取付孔に挿入して、取付孔の表側周縁にシールフランジを当接させ、その状態で挿通孔を通して拡径具を袋状本体部の内腔に挿入することで、袋状本体部が内側から押圧されて拡径し、この袋状本体部を介してその外周に装着されたプロテクタが拡開して、取付孔の裏側周縁にプロテクタが係合するので、シールフランジ及び袋状本体部によって水密性を保持しつつ、取付孔にクリップを取付けることができる。
【００１８】
そして、シールキャップの袋状本体部外周にプロテクタが装着され、このプロテクタが取付孔の裏側周縁に係合することで、袋状本体部が取付孔の内周や裏側周縁に接触しないように保護されるので、取付孔のエッジやバリ等により袋状本体部が破損することを確実に防止することができ、長期に亘って水密性を保持した状態で取付孔にクリップを取付けることができる。
【図面の簡単な説明】
【００１９】
【図１】本発明に係るクリップの一実施形態を示す分解斜視図である。
【図２】同クリップを構成する部材を示しており、（ａ）はシールキャップの斜視図、（ｂ）はプロテクタの斜視図である。
【図３】同クリップを構成するシールキャップの底面図である。
【図４】シールキャップにプロテクタが装着された状態の斜視図である。
【図５】本発明に係るクリップを用いて、被取付部材に取付部材を取付ける前の状態を示す説明図である。
【図６】同クリップを用いて、被取付部材に取付部材を取付けた状態の説明図である。
【図７】本発明に係るクリップの適用箇所の一例を示す斜視図である。
【図８】本発明に係るクリップの他の実施形態を示しており、（ａ）はその正面図、（ｂ）は断面図である。
【図９】本発明に係るクリップの更に他の実施形態を示しており、（ａ）はその正面図、（ｂ）は断面図である。
【発明を実施するための形態】
【００２０】
以下、図１〜７を参照して、本発明に係るクリップの一実施形態について説明する。
【００２１】
このクリップ１０は、所定部材に形成された取付孔に挿入されて、同取付孔に保持固定されるものである。具体的には当該クリップ１０は、図１及び図６に示すように、自動車の車体パネルや車体フレーム等の被取付部材１の取付孔３に挿入され、同被取付部材１に、ドア用のストッパや、バンパー、ガーニッシュ、トリムボード、テールランプ、リヤコンビランプ等の取付部材５を取付ける際に用いられ、特に水密構造が要求される箇所に好適に用いられる。
【００２２】
この実施形態におけるクリップ１０は、図７に示すように、バックドア８の裏側周縁に突設された弾性部材９に接離するドア用ストッパとなるピン７０を、取付部材５（バンパー）と共に被取付部材１に取付けるために用いられるが、この態様に限定されるわけではない。また、図１及び図５に示すように、取付部材５の一部は凹んだ形状をなし、その底部にピン７０固定用の係止孔７が形成されている。
【００２３】
図１に示すように、この実施形態におけるクリップ１０は、シールキャップ２０と、該シールキャップ２０の外周に装着されるプロテクタ３０と、シールキャップ２０内に挿入されると共に、グロメット６０及び前記ピン７０からなる２ピースクリップ構造の拡径具５０とから構成されている。
【００２４】
図２（ａ）、図３及び図５を参照してシールキャップ２０について説明すると、このシールキャップ２０は、フッ素ゴム、シリコーンゴム、ウレタンゴム、エラストマー材、その他の軟質材料から形成されており、挿入孔２１ａを有し前記取付孔３の表側周縁に当接するシールフランジ２１と、該シールフランジ２１に連設され前記挿入孔２１ａに連通する内腔２３を有する有底袋状をなした袋状本体部２２とからなる。
【００２５】
前記シールフランジ２１は、その中央に前記挿入孔２１ａが形成された薄肉円板状をなし、その外周の周縁部２１ｂが袋状本体部２２に向けて、斜め外方に傘状に広がった形状となっており、この周縁部２１ｂが前記取付孔３の表側外周に弾性的に当接して、取付孔３へ水分が浸入しないようにシールするようになっている（図５参照）。
【００２６】
また、このシールフランジ２１の裏側には円筒状の壁部２４が垂設されており、この壁部２４の内周から挿入孔２１ａに向かって、複数のプロテクタ保持片２５が周方向に均等な間隔で突設されている。
【００２７】
一方、袋状本体部２２は、前記挿入孔２１ａの裏側周縁から所定長さで伸びる筒状部２６と、該筒状部２６の先端から次第に縮径する曲面形状をなし、丸みを帯びた底部を有する先端部２７とから構成されている。
【００２８】
図２（ａ）及び図５に示すように、前記筒状部２６の外周であって、その基端側から軸方向途中の所定範囲には、嵌合凹部２８が形成されている。また、袋状本体部２２の前記嵌合凹部２８よりも先端側は、嵌合凹部２８を設けた部分よりも、厚肉となるように形成されている（図５参照）。更に、前記筒状部２６の外周であって、前記嵌合凹部２８の先端周縁からは、前記シールフランジ２１側に向かって、環状のカバー部２９が所定長さで延設されている。
【００２９】
次に、図２（ｂ）及び図５を参照してプロテクタ３０について説明すると、このプロテクタ３０は、ポリエチレン（ＰＥ）、ポリプロピレン（ＰＰ）、ポリアセタール（ＰＯＭ）、ナイロン等のポリアミド（ＰＡ）などの、少なくとも前記シールキャップ２０よりも硬質の材料から形成されており、前記取付孔３に挿入可能な状態と、この状態から拡径して取付孔３の裏側周縁に係合する拡径状態とをとりうる構造となっている。
【００３０】
具体的に当該プロテクタ３０は、その軸方向一端部に配置された円形リング状の環状部３１と、この環状部３１の裏側周縁から軸方向に帯状に伸びると共に、互いに分離して拡径可能とされた複数の帯状係止部３３とを有している。
【００３１】
各帯状係止部３３は、その基端部が前記環状部３１の裏側周縁に周方向に均等な間隔をおいて連結され、先端部が自由端とされており、各帯状係止部３３が撓んでいない場合は、取付孔３に挿入可能な状態をなし（図２（ｂ）及び図５参照）、各帯状係止部３３が外方に撓むと、取付孔３の裏側周縁に係合しうる拡径状態となる（図６参照）。
【００３２】
また、各帯状係止部３３の基端部寄りの外周には、プロテクタ３０が拡径していない状態、すなわち、各帯状係止部３３の拡径前の状態において、取付孔３の内径よりも大径となるように係止肩部３３ａが突設されており、この状態で取付孔３に係止可能となっている。
【００３３】
上記の環状部３１及び複数の帯状係止部３３は、前記シールキャップ２０の嵌合凹部２８に嵌合するようになっており（図４及び図５参照）、また、各帯状係止部３３の先端部は、この嵌合状態において、シールキャップ２０の袋状本体部２２の外周面から突出しない高さで形成されている。
【００３４】
更に図２（ｂ）及び図５に示すように、前記環状部３１の外周からは、前記取付孔３の表側周縁に係合する取付フランジ３５が設けられ、その周縁部３５ａは薄肉の段状をなしており、この周縁部３５ａが、シールキャップ２０のシールフランジ２１の裏面とプロテクタ保持片２５との間に挟み込まれて、プロテクタ３０の一端部が保持されるようになっている。
【００３５】
そして、この本実施形態のクリップ１０においては、上記構造のプロテクタ３０を装着したシールキャップ２０の挿入孔２１ａを通して、袋状本体部２２の内腔２３に拡径具５０を挿入することにより、袋状本体部２２が内側から押圧されて、この袋状本体部２２を介してプロテクタ３０の各帯状係止部３３が内側から押圧されて外方に撓み、取付孔３の裏側周縁に係合するように拡開する構造となっている。
【００３６】
次にプロテクタ拡開用の拡径具５０について説明すると、この実施形態の拡径具５０は、複数の係止脚６３を有するグロメット６０と、該グロメット６０内に挿入されるピン７０とからなり、グロメット６０に対してピン７０を押し込むと、複数の係止脚６３が拡開するように構成されたいわゆる２ピースクリップとなっている。
【００３７】
図１及び図５に示すように前記グロメット６０は、ピン挿通孔６１ａを有する環状の係止フランジ６１と、該係止フランジ６１のピン挿通孔６１ａの裏側周縁から延設された複数の係止脚６３とを有しており、各係止脚６３の先端内側からは突部６３ａ（図５参照）が突設されている。一方、前記ピン７０は、バックドア８の弾性部材９が接離する頭部７１と、該頭部７１から垂設された軸部７３とを有しており、該軸部７３の先端には環状溝７３ａが形成されていると共に、その軸方向途中の外周に一対の仮保持片７３ｂ，７３ｂが対向して設けられている（図５及び図６参照）。
【００３８】
そして、ピン挿通孔６１ａからピン７０の軸部７３を挿入して押し込むと、仮保持片７３ｂ，７３ｂがピン挿通孔６１ａの内周に係合して、グロメット６０に対してピン７０が仮固定され（図５参照）、その状態で更にピン７０を押し込むと、軸部７３が突部６３ａを介して各係止脚６３を内側から押圧して拡開させ、突部６３ａが環状溝７３ａに係合すると、係止脚６３が拡径した状態で保持されるようになっている（図６参照）。したがって、グロメット６０にピン７０を仮保持させて係止脚６３が縮径した状態の拡径具５０を、シールキャップ２０の袋状本体部２２の内腔２３に挿入した後、グロメット６０に対してピン７０を押し込んで各係止脚６３を拡開させることで、シールキャップ２０を介してプロテクタ３０の各帯状係止部３３が拡開するようになっている（図６参照）。
【００３９】
なお、拡径具５０の構造はあくまでも一例であって、例えば、柱状のステム部と、該ステム部の先端から碇足状に延出した一対の係止脚とからなる構造等としてもよく、特に限定はなく、袋状本体部２２の内腔２３に拡径具５０を挿入したときに、袋状本体部２２を内側から押圧可能な構造であればよい。
【００４０】
次に上記構成からなるクリップ１０の使用方法について説明する。
【００４１】
まず、シールキャップ２０の外周にプロテクタ３０を装着する。すなわち、プロテクタ３０の環状部３１にシールキャップ２０の袋状本体部２２を挿入し、プロテクタ３０の取付フランジ３５の周縁部３５ａを、シールキャップ２０のシールフランジ２１の裏面とプロテクタ保持片２５との間に挟み込むと共に、プロテクタ３０の環状部３１及び複数の帯状係止部３３を、シールキャップ２０の嵌合凹部２８に収容して嵌合させ、かつ、各帯状係止部３３の先端部外周をシールキャップ２０のカバー部２９で覆うことによって、シールキャップ２０の外周にプロテクタ３０を抜け止めした状態で装着することができる（図４及び図５参照）。
【００４２】
このとき、プロテクタ３０の各帯状係止部３３は、その先端部が自由端とされていて、変形しやすい構造となっているので、シールキャップ２０の袋状本体部２２の外周にプロテクタ３０をスムーズに装着することができる。
【００４３】
また、シールキャップ２０の袋状本体部２２外周の嵌合凹部２８に、プロテクタ３０の環状部３１及び複数の帯状係止部３３が嵌合するようになっているので、袋状本体部２２に対するプロテクタ３０の位置ずれを防止して、袋状本体部２２の所定位置にプロテクタ３０を確実に装着することができる。
【００４４】
そして、プロテクタ３０が装着されたシールキャップ２０を、被取付部材１に形成された取付孔３に挿入して取付ける。すなわち、シールキャップ２０の袋状本体部２２を、先端部２７側から取付孔３に挿入していき、取付孔３の表側周縁にプロテクタ３０の取付フランジ３５を係合させると共に、取付孔３の裏側周縁にプロテクタ３０の複数の帯状係止部３３の係止肩部３３ａを係合させ、更に取付孔３の表側外周にシールフランジ２１の周縁部２１ｂを弾性的に当接させることで、取付孔３にシールキャップ２０が仮固定されるようになっている（図５参照）。
【００４５】
本実施形態においては、プロテクタ３０の各帯状係止部３３の先端部は、シールキャップ２０のカバー部２９によって覆われるようになっているので、取付孔３にシールキャップ２０を挿入するときに、各帯状係止部３３を取付孔３の内周に引っ掛かりにくくすることができ、取付孔３にシールキャップ２０をスムーズに挿入することができる。
【００４６】
また、プロテクタ３０の環状部３１に設けられた取付フランジ３５が、取付孔３の表側周縁に係合するようになっているので、プロテクタ３０が軸方向に位置ずれすることを防止して、取付孔３に対してプロテクタ３０を所定位置で保持することができる。
【００４７】
更に、プロテクタ３０の各帯状係止部３３に係止肩部３３ａを設けたことにより、取付孔３にクリップ１０を挿入することで、取付孔３の裏側周縁に係止肩部３３ａが係合するので、取付孔３にプロテクタ３０を仮固定することができると共に、該プロテクタ３０を介してシールキャップ２０を仮固定することができ、この後の拡径具５０の挿入作業を容易に行うことができる。
【００４８】
次に、被取付部材１の取付孔３と取付部材５の係止孔７とを整合させて、シールキャップ２０のシールフランジ２１上に取付部材５を載置した状態とし、この状態で、グロメット６０にピン７０が仮保持された拡径具５０を、係止孔７を通してシールキャップ２０の袋状本体部２２の内腔２３に挿入し、拡径具５０のグロメット６０の係止フランジ６１を係止孔７の表側周縁に係合させる。
【００４９】
この状態でグロメット６０に対してピン７０を押し込むと、ピン７０の軸部７３が各係止脚６３を拡開させ、これに伴ってシールキャップ２０の袋状本体部２２が内側から押圧されて、該袋状本体部２２を介してプロテクタ３０の各帯状係止部３３が拡開する。係止脚６３の突部６３ａがピン７０の環状溝７３ａに係合すると、係止脚６３が拡径した状態で保持されると共に、袋状本体部２２を介して拡径したプロテクタ３０の各帯状係止部３３が開いた状態に保持され、各帯状係止部３３の係止肩部３３ａが被取付部材１の取付孔３の裏側周縁に係合した状態に維持されると共に、係止孔７の表側周縁にグロメット６０の係止フランジ６１が係合し、クリップ１０を介して被取付部材１と取付部材５とを取付けることができる（図６参照）。
【００５０】
また、この状態では、取付孔３内にシールキャップ２０が挿入されると共に、被取付部材１の取付孔３の表側外周にシールキャップ２０のシールフランジ２１の周縁部２１ｂが弾性的に当接するため、水密性を保持することができ、取付孔３から水分が浸入することを防止することができるようになっている。
【００５１】
そして、このクリップ１０においては、シールキャップ２０の袋状本体部２２の外周に、それよりも硬質材料にて形成されたプロテクタ３０が装着されて、このプロテクタ３０が取付孔３の裏側周縁に係合するようになっているので、袋状本体部２２が取付孔３の内周や裏側周縁に接触しないように保護することができ、取付孔３のエッジやバリ等によって袋状本体部２２が破損することを確実に防止することができ、長期に亘って水密性を保持した状態で、取付孔３にクリップ１０を取付けることができる。
【００５２】
上記のように、拡径具５０をシールキャップ２０の袋状本体部２２の内腔２３に挿入することで、シールキャップ２０を介してその外周に装着されたプロテクタ３０の各帯状係止部３３を拡開させるように構成されている。このとき、この実施形態では、プロテクタ３０の複数の帯状係止部３３が、環状部３１から軸方向に伸び且つ互いに分離した構造をなしているので、硬質材料からなるプロテクタ３０を拡径可能に形成することができ、また、各帯状係止部３３の先端部は自由端とされているので、各帯状係止部３３を撓みやすくしてスムーズに拡開させることができる。
【００５３】
更に本実施形態においては、シールキャップ２０の袋状本体部２２の、嵌合凹部２８よりも先端側は、嵌合凹部２８を設けた部分よりも厚く形成されているので、プロテクタ３０が装着されていないシールキャップ２０の先端側を損傷させにくくして、水密性を保持することができると共に、プロテクタ３０が装着される嵌合凹部２８が薄肉とされているので、その部分において袋状本体部２２を拡径させやすくすることができ、それに伴ってプロテクタ３０の各帯状係止部３３を拡開させやすくすることができる。
【００５４】
図８には、本発明に係るクリップの他の実施形態が示されている。なお、前記実施形態と実質的に同一部分には同符号を付してその説明を省略する。また、便宜上、図８には拡径具を記載していないが、前記実施形態と同様の拡径具５０や、その他の構造の拡径具を用いることができる。
【００５５】
この実施形態のクリップ１０ａは、シールキャップ２０ａが前記実施形態と異なっている。すなわち、このシールキャップ２０ａは、プロテクタ３０の各帯状係止部３３の先端部外周を覆うカバー部２９が設けられていない形状をなしている。
【００５６】
また、シールキャップ２０ａの嵌合凹部２８に、プロテクタ３０の環状部３１及び各帯状係止部３３を嵌合させたときに、各帯状係止部３３の先端部は、シールキャップ２０ａの袋状本体部２２の外周面に対してほぼ同じ高さとされ、同袋状本体部２２の外周面から突出しないようになっている（図８（ｂ）参照）。
【００５７】
そして、この実施形態のクリップ１０ａにおいては、図８（ｂ）に示すように、シールキャップ２０ａの外周にプロテクタ３０を装着した際に、各帯状係止部３３が袋状本体部２２の外周面から突出しない高さとされているので、クリップ１０ａを被取付部材１の取付孔３に挿入するときに、プロテクタ３０の各帯状係止部２２を取付孔３の内周に引っ掛かりにくくすることができる。
【００５８】
図９には、本発明に係るクリップの、更に他の実施形態が示されている。なお、前記実施形態と実質的に同一部分には同符号を付してその説明を省略する。また、便宜上、図９には拡径具を記載していないが、前記実施形態と同様の拡径具５０や、その他の構造の拡径具を用いることができる。
【００５９】
この実施形態のクリップ１０ｂにおいては、シールキャップ２０ｂの嵌合凹部２８が、前記実施形態よりも長く形成されている。すなわち、シールキャップ２０の筒状部２６の外周であって、その基端側から先端部２７のやや手前よりの部分に至る長さで、嵌合凹部２８が形成されている。
【００６０】
一方、プロテクタ３０ｂの各帯状係止部３３は、上記シールキャップ２０ｂの嵌合凹部２８に適合する長さで形成され、前記実施形態のプロテクタ３０の帯状係止部３３と比べて長くなっている。また、各帯状係止部３３の先端部どうしは、円形リング状の環状部３７で連結されており、各帯状係止部３３の中間部が拡開可能となっている。
【００６１】
この実施形態のクリップ１０ｂにおいては、プロテクタ３０ｂの各帯状係止部３３の先端部も環状部３７により連結されているので、袋状本体部２２外周にプロテクタ３０ｂを装着した状態のシールキャップ２０ｂを、被取付部材１の取付孔３に挿入するときに、プロテクタ３０の各帯状係止部３３を取付孔３の内周に引っ掛かりにくくすることができ、シールキャップ２０ｂを取付孔３にスムーズに挿入することができる。
【符号の説明】
【００６２】
１  被取付部材
３  取付孔
１０，１０ａ，１０ｂ  クリップ
２０，２０ａ，２０ｂ  シールキャップ
２１  シールフランジ
２１ａ  挿入孔
２２  袋状本体部
２３  内腔
２７  先端部
２８  嵌合凹部
２９  カバー部
３０，３０ｂ  プロテクタ
３１  環状部
３３  帯状係止部
３３ａ  係止肩部
３５  取付フランジ
３７  環状部
５０  拡径具
【図１】
2013238298.tif 000003
【図２】
2013238298.tif 000004
【図３】
2013238298.tif 000005
【図４】
2013238298.tif 000006
【図５】
2013238298.tif 000007
【図６】
2013238298.tif 000008
【図７】
2013238298.tif 000009
【図８】
2013238298.tif 000010
【図９】
2013238298.tif 000011